(57)【要約】      （修正有）【課題】高齢者でもマグネットを有するコマを容易に操作することができると共に高齢者や認知症者が昔の楽しかった出来事を思い出しながら、そのイメージを図や絵等に容易に表現して遊ぶことができるマグネット貼り絵玩具を提供する。【解決手段】マグネットを有する多数個のコマＡ１〜Ａ３等を、磁着シートＢに貼り付け磁着し配置組み合わせることで、いろいろな図や絵等を形成して遊ぶことができるマグネット貼り絵玩具にあって、コマＡ１の基本形状を直角二等辺三角形とすると共に、直角二等辺三角形の長さが等しい２本の辺の長さを３ｃｍ〜５ｃｍに定める。【選択図】図２
0003164828.tif 000002
【実用新案登録請求の範囲】
【請求項１】
マグネットを有する多数個のコマを、磁着シートに貼り付け磁着し配置組み合わせることで、いろいろな図や絵等を形成して遊ぶことができるマグネット貼り絵玩具にあって、
前記コマの基本形状を直角二等辺三角形とすると共に、直角二等辺三角形の長さが等しい２本の辺の長さを３ｃｍ〜５ｃｍにすることを特徴とするマグネット貼り絵玩具。
【請求項２】
前記コマには、白、黒を含む１２色の色を着色すると共に各色毎のコマを多数個設けることを特徴とする請求項１記載のマグネット貼り絵玩具。
【請求項３】
前記コマのオプションとして、円形、半円形、長方形の形状のコマを数個追加することを特徴とする請求項１記載のマグネット貼り絵玩具。
【請求項４】
前記磁着シートの両面に、着色したり、背景を表示すると共に、使用する面を選択し、その面に前記コマを貼り付け磁着し配置組み合わせることで、いろいろな図や絵等を形成して遊ぶことができることを特徴とする請求項１記載のマグネット貼り絵玩具。
【請求項５】
前記磁着シートを、折りたたみ式とし、背景面を増やすと共に拡大可能とすることを特徴とする請求項４記載のマグネット貼り絵玩具。
【請求項６】
別途、設けた作図例を見本にしながら、多数個の前記コマを貼り付け磁着し配置組み合わせることで、前記作図例の図や絵等を形成して遊ぶことができることを特徴とする請求項１乃至５のいずれかに記載のマグネット貼り絵玩具。
【考案の詳細な説明】
【技術分野】
【０００１】
この考案は、マグネットを有する多数個のコマを、磁着シートに貼り付け磁着し配置組み合わせることで、いろいろな図や絵等を形成して遊ぶことができるマグネット貼り絵玩具、特に、高齢者が昔の楽しかった出来事を思い出しながら、そのイメージを図や絵等に表現して遊ぶことができるマグネット貼り絵玩具に関するものである。
【背景技術】
【０００２】
従来のこの種のマグネットを有するコマを使用する玩具にあっては、主に幼児や子供向けの知育玩具として、マグネットを有する矩形、扇形、三角形等の多種の形状からなる多数個のコマを、金属板等の磁着シート上に描かれた図や絵を形成するように貼り付け磁着し配置組み合わせることで、いろいろな図や絵を形成してパズルのように遊ぶことが行われている（例えば、特許文献１，２参照）。
【先行技術文献】
【特許文献】
【０００３】
【特許文献１】登録実用新案第３０４６１９６号公報
【特許文献２】登録実用新案第３０３６４９８号公報
【考案の概要】
【考案が解決しようとする課題】
【０００４】
しかしながら、特許文献１，２に開示されるようなパズル玩具にあっては、マグネットを有するコマのサイズが小さいため、成長、発達段階の幼児や子供には充分でも、視野が狭くなり、手や指の動きが難しくなり、識別力も低下しつつあるなど機能が衰えていく高齢者にとっては、必ずしも使用し易いわけではなかった。本出願人が、高齢者を対象に使い易いコマのサイズを実験したところ、３ｃｍ程度が小さいサイズの限界であることが判明した。３ｃｍより小さいコマについては、触ろうともしない場合があった。
【０００５】
一方、最近の認知症の研究において、子供の頃の楽しかった出来事を思い出すことは、認知症の症状を改善する効果があることが判明してきているが、このようなことを考慮した製品はないため、製品開発が望まれていた。
【０００６】
本考案は、このような問題を解決しようとするものであり、高齢者でもマグネットを有するコマを容易に操作することができると共に高齢者や認知症者が昔の楽しかった出来事を思い出しながら、そのイメージを図や絵等に容易に表現して遊ぶことができるマグネット貼り絵玩具を提供することを目的とする。
【課題を解決するための手段】
【０００７】
上記目的を達成するため本考案のマグネット貼り絵玩具にあっては、マグネットを有する多数個のコマを、磁着シートに貼り付け磁着し配置組み合わせることで、いろいろな図や絵等を形成して遊ぶことができるマグネット貼り絵玩具にあって、コマの基本形状を直角二等辺三角形とすると共に、直角二等辺三角形の長さが等しい２本の辺の長さを３ｃｍ〜５ｃｍにすることを特徴とする。直角二等辺三角形は、組み合わせることでいろいろな図や絵を形成することに最適であることから、コマの基本形状とした。
【０００８】
また、コマには、白、黒を含む１２色の色を着色すると共に各色毎にコマを多数個設けることを特徴とする。
【０００９】
また、コマのオプションとして、円形、半円形、長方形の形状のコマを数個追加することを特徴とする。
【００１０】
また、磁着シートの両面に、着色したり、背景を表示すると共に、使用する面を選択し、その面にコマを貼り付け磁着し配置組み合わせることで、いろいろな図や絵等を形成して遊ぶことができることを特徴とする。
【００１１】
また、磁着シートを、折りたたみ式とし、背景面を増やすと共に拡大可能とすることを特徴とする。
【００１２】
また、別途設けた作図例や写真を見本にしながら、磁着シートに多数個のコマを貼り付け磁着し配置組み合わせることで、作図例や写真の図や絵等を形成して遊ぶことができることを特徴とする。
【考案の効果】
【００１３】
以上の構成により、本考案のマグネット貼り絵玩具にあっては、コマの基本形状を直角二等辺三角形とすると共に、直角二等辺三角形の長さが等しい２本の辺の長さを３ｃｍ〜５ｃｍに定めることにより、視野が狭くなり、手や指の動きが難しくなった高齢者であっても、容易に図や絵等を形成することができる。
【００１４】
また、着色したコマを使用したり、磁着シートへ背景・着色を施すことにより、識別力が低下しつつある高齢者であっても容易に図や絵等を形成することができる。
【００１５】
また、コマのオプションとして、円形、半円形、長方形の形状のコマを数個追加し使用することで、目や口の表情を容易に形成することができる。また、実物大の作図例や写真等を見本とすることで、記憶力の衰えがあっても容易に図や絵等を形成することができる。
【００１６】
また、身体の機能が衰えていく高齢者であっても、紙、はさみ、のりなどを使用しなくても、操作し易いマグネットを有するコマを利用して容易に何度でも図や絵等を形成することができる。また、決められたパターンの図や絵にコマを貼り付けてパズルのように遊ぶことも可能ではあるが、高齢者や認知症者が昔の楽しかった出来事を思い出しながら、そのイメージを図や絵等に容易に表現して遊ぶこともできることから、認知症の症状の改善や防止にも利用可能である。
【図面の簡単な説明】
【００１７】
【図１】本考案の作図例を示す平面図である。
【図２】本考案の全体構成を示す斜視図である。
【図３】本考案の基本形状のコマの説明図である。
【図４】本考案のオプションのコマの説明図である。
【図５】本考案の磁着シートの説明図である。
【図６】本考案のコマ、磁着シートを使って形成した図や絵を示す斜視図である。
【考案を実施するための形態】
【００１８】
以下、本発明のマグネット貼り絵玩具の実施の形態を図面に基づいて説明する。
【００１９】
図１は、本考案のマグネットはり絵玩具で使用する作図例を示すものである。作図例は、例えば、普通紙等に動物、植物、乗り物等様々な図柄や絵柄を印刷したもので、これら印刷された図柄や絵柄は、実際に使用するマグネットを有する多数個のコマと同じ形状の組み合わせで実物大の大きさに描かれていることから、実際にマグネットを有する多数個のコマを磁着シートに貼り付けていく際は、この実物大の大きさの作図例を見本にしながら図や絵等を形成することができる。記憶の衰えの程度や思考の能力に関わり無く、すぐに形成作業に入ることが可能であるとともに、最終的な完成度も高くなる。
【００２０】
図２は、本考案のマグネットはり絵玩具の全体構成を示す斜視図、図３は、コマの基本形状である直角二等辺三角形のコマの説明図、図４は、オプションとなるコマの説明図である。本考案のマグネット貼り絵玩具は、マグネットを有する多数個のコマＡ１〜Ａ４と、この多数個のコマを貼り付け磁着し配置組み合わせる磁着シートＢとから構成される。
【００２１】
実際に使用し遊ぶ場合は、図１に示す実物大の作図例（海辺の背景と表情のあるカニ）を見本にしながら、図２に示すように、海辺の背景Ｂ２を描いた磁着シートＢに、基本形状となる直角二等辺三角形のコマＡ１を１０個貼り付けながら組み合わせることで、カニの絵柄が形成できる。さらに、丸型のオプションコマＡ３を２個貼り付け配置することにより、カニに表情ができる。海辺の背景に表情のあるカニを形成することにより、幼い頃に遊んだ情景を思い出し易く、楽しかった感情を呼び覚ますことができる。
【００２２】
基本形状となる直角二等辺三角形のコマＡ１は、図３（a３）に示すように本体３と、裏面側が設けられるマグネット１と、表面側に設けられる着色シール２とから構成される。本体３は、合成樹脂で形成される。マグネット１は、図３（a２）に示すように本体３の裏面側に、マグネット片あるいはマグネットシートを貼り付けあるいは埋め込んで装着される。着色シール２は、本体３の表面側に貼り付けられ、少なくとも表面側は顔料などで着色されている。
【００２３】
直角二等辺三角形のコマＡ１を、基本形状とした理由は、組み合わせることでいろいろな図柄や絵柄を形成することに最適であるからである。例えば直角二等辺三角形のコマを２個組み合わせることで、直角二等辺三角形、正方形、平行四辺形が形成できる。また、円状に配置することで、太陽やひまわりなどの絵柄が形成できる。異なる形状のコマを多数使うことも考えられるが、コストアップになってしまう、コンパクトに片付けられない、使う人である高齢者等が必要なコマを選択するのに悩んでしまうなどの課題があることから、直角二等辺三角形のコマを基本形状としたものである。直角二等辺三角形のコマであれば、多数個であっても容易に整列してコンパクトに片付けることができる。
【００２４】
また、直角二等辺三角形のコマＡ１の長さが等しい２本の辺の長さを３ｃｍ〜５ｃｍに定めた理由は、視野が狭くなり、手や指の動きが難しくなった高齢者であっても、容易に使って図や絵等を形成することができるからである。本出願人が、高齢者を対象に使い易いコマのサイズを実験したところ、３ｃｍ程度が小さいサイズの限界であることが判明した。３ｃｍより小さいコマについては、触ろうともしない場合があった。また、５ｃｍ以上に大きくしてしまうと、貼り付ける磁着シートとの関係もあり、形成する図柄や絵柄に制限が出てくる。したがって、辺の長さは３ｃｍ〜５ｃｍが最適である。
【００２５】
また、コマＡ１に着色を施すことで、形状が識別し難くなるような場合でも図柄や絵柄の形成が容易になる。本考案の玩具は、絵を描くように使うことができることから、コマの色としては、絵具の基本色として使われるような、白、黒を含む１２色程度が望ましい。例えば、１２色の基本色として、白・黒・茶・紫・青・水色・緑・黄緑・黄・橙・赤・桃色が使用可能である。各色毎にコマを多数個設けることになる。例えば、１２色のセットの場合、１色につき１０個用意するのであれば、１２０個のコマＡ１が必要となる。なお、直角二等辺三角形のコマＡ１のサイズは１種類に限定されるものではなく、サイズを複数用意するようにしても良い。例えば、３ｃｍのサイズのコマと、４ｃｍのサイズのコマをそれぞれ１２０個ずつ用意するようにしても良い。なお、色の種類、個数は限定されるものではない。
【００２６】
コマＡ１の裏面側にマグネット１を設けることで、図柄や絵柄の形成の際に、コマが動くことなく容易に形成でき、また、途中を中断する場合でも、容易に続けることができる。また、マグネット１を本体３内に埋め込んで装着する場合は、裏面側にも着色シール２を貼り付けることも可能である。着色する色は、表面側と同色でも良いし、異なる色でも構わない。
【００２７】
図４では、オプションのコマを示している。Ａ２は半円形のコマ、Ａ３は円型のコマ、Ａ４は長方形のコマを示している。例えば、オプションのコマＡ３を使用し、図２に示すように例えば、カニの目に使用することで、カニの表情を豊かにできる。オプションコマの構成は、基本形状のコマＡ１と形状以外は同様である。オプションコマの数はあまり多くなくて良いが、しかし、図柄や絵柄の表情を豊かにさせることが可能となるため、感情が敏感になっていく高齢者の方にとって、図形のみの場合よりも表情を持たせることの意味は大きい。オプションのコマは、他の形状のコマであっても良い。また、オプションのコマにも着色しても良いことは当然である。
【００２８】
図５は本考案の磁着シートＢを示すものである。磁着シートＢは、合成樹脂に磁性を持たせ、シートの表面には塩ビ系シートに溶剤インクで印刷したもの等を貼り付ける、あるいは装着する。その上に合成樹脂シートを貼り合わせることで印刷面を保護する。合成樹脂シートは着磁されていないが防水効果が施してある。背景あるいは着色を施した二枚の磁着シートを樹脂コートしたテープ等にて張り合わせて一体化し、折りたたんでいる。折りたたむことにより、磁着シートＢの保管や移動がし易い利点がある。磁着シートＢは、マグネットを有するコマＡ１〜Ａ４が磁着すれば良いものであることから、内部に薄い鉄板や鋼板を設けるようなものであっても良い。
【００２９】
図５（ｂ１）に示すように、磁着シートＢは中心の折りたたみ箇所４を中心にして、その表側のシートには、異なった背景Ｂ１（草原の背景）とＢ２（海辺の背景）のデザインが施されている。図５（ｂ２）に示すように、折りたたまず開いた状態での裏側の背景Ｂ３は単色である。感情が敏感になっていく高齢者にとって、磁着シートに背景を施すことは、イメージを呼び覚ます点において重要である。
【００３０】
図５（ｂ３）は磁着シートＢの折りたたみの形態を示しているもので、Ｂ１とＢ２で表二面、Ｂ３で開いて拡大した一面の計三面背景で、図や絵の形成が可能なことを現している。表・裏の計三面とも着磁可能である。このように、折りたたみ式の磁着シートとすることで、背面を増やすことができる共に拡大した背景面とすることができる。
【００３１】
図６は、本考案のコマ、磁着シートを使って形成した他の図や絵の制作例を示す図である。図６上側の制作例は、磁着シートＢの背景として草原の背景Ｂ１を使用し、コマＡ１，Ａ３，Ａ４を貼り付け組み合わせて、鯉のぼりを制作した例である。また、図６下側の制作例は、磁着シートＢの背景として拡大された単色の背景Ｂ３を使用し、コマＡ１，Ａ２，Ａ３を貼り付け組み合わせて、太陽、山、鳥を制作した例である。いずれも、背景上に表情のある図柄や絵柄を形成することができるので、楽しみなガが遊ぶことができる。
【００３２】
本考案のマグネットはり絵玩具は、例えば図１に示すように実物大の作図例を見本にしながら、図５に示すような背景のある磁着シートＢ上で、図３に示すような基本形状である着色された多数個の直角二等辺三角形のコマＡ１と、図４に示すようなオプションのコマＡ２〜Ａ５を使用して、図２、図６に示すような貼り絵のようなことを行い作図例の図や絵を形成していくものである。本考案の玩具は、機能の衰えに対する配慮や感情へ刺激を与えることにより、なつかしい思い出や楽しかったことを思い出して、楽しいという感情を増やすことや、手指を動かすことなどにより、機能の衰えをできるだけ遅らせたり、あるいは改善させたりすることを願って考案されたものである。
【００３３】
また、作図例以外に写真を見本にしながら制作することも可能である。また、見本となるものなしで、自由にイメージしたものを表現して制作することも可能である。
【産業上の利用可能性】
【００３４】
本考案は、子供用の知育玩具として、また、子供から高齢者までを対象とした能力開発用具として、また、認知症者などのリハビリ用具としても利用可能である。
【符号の説明】
【００３５】
Ａ１  直角二等辺三角形コマ
Ａ２  オプションコマ（半円型）
Ａ３  オプションコマ（丸型）
Ａ４  オプションコマ（長方形型）
Ｂ    磁着シート
Ｂ１  背景１
Ｂ２  背景２
Ｂ３  背景３
１    マグネット
２    着色シール
３    本体
４    折りたたみ箇所
【図１】
0003164828.tif 000003
【図２】
0003164828.tif 000004
【図３】
0003164828.tif 000005
【図４】
0003164828.tif 000006
【図５】
0003164828.tif 000007
【図６】
0003164828.tif 000008